(57)【要約】  【課題】  ユーザがアラームオフの操作を忘れても自動的にアラームオフとなる通信装置を提供する。  【解決手段】  制御回路が、充電検出部から非充電状態から充電状態へ変化したことを示す信号を検出し（Ｓ２ステップ）、現在時刻が１０時から１時までの間であると判定すると（Ｓ４ステップ）、充電を開始し（Ｓ６ステップ）、充電検出部から、充電状態から非充電状態へ変化したことを示す信号を検出（Ｓ７ステップ）するか、或いは着信に応答すると判定すると（Ｓ８、Ｓ９ステップ）、アラームをオフとする（Ｓ１１ステップ）。【選択図】      図２
2008086031.tif 000002
【特許請求の範囲】
【請求項１】
予め定めた時刻にアラームを鳴動するように設定することが可能な通信装置であり、着信を検出する着信検出手段と、該着信検出手段が着信を検出すると前記アラームの鳴動設定を解除又は無効にするように制御する制御手段と、を有することを特徴とする通信装置。
【請求項２】
予め定めた時刻にアラームを鳴動するように設定することが可能な通信装置であり、
着信を検出する着信検出手段と、現在時刻を計時する計時手段と、該計時手段が所定時刻を計時した後に、前記着信検出手段が着信を検出すると前記アラームの鳴動設定を解除又は無効にするように制御する制御手段と、を有することを特徴とする通信装置。
【請求項３】
予め定めた時刻にアラームを鳴動するように設定することが可能な通信装置であり、
着信を検出する着信検出手段と、前記予め定められた時刻を経過するまでの所定時間内に前記着信検出手段が着信を検出すると前記アラームの鳴動設定を解除又は無効にするように制御する制御手段と、を有することを特徴とする通信装置。
【発明の詳細な説明】
【技術分野】
【０００１】
本発明は、アラーム機能を備えた通信装置に関する。
【背景技術】
【０００２】
近年の通信装置（例えば、携帯電話装置）には数多くの機能が搭載されており、ＣＣＤ（Ｃｈａｒｇｅ  Ｃｏｕｐｌｅｄ  Ｄｅｖｉｃｅ）といった撮像素子を搭載したものまで商品化されている。
【０００３】
又、アラーム機能を備えた通信装置も商品化されており、予めユーザがアラームを鳴動する時刻とアラームの種類（例えば、ビープ音やメロディー）を設定し、設定した時刻になると自動的にアラームを鳴動させることが可能である。
【０００４】
更に、アラーム鳴動中に、ユーザが何らかのキーを押下するか、折畳み式携帯電話であれば筐体を開くといった動作を行なうことにより、アラームの鳴動を停止することが可能である。
【０００５】
又、このアラーム機能に関して様々な提案がなされており、例えば特許文献１には、指定時刻になると自動的にメッセージを再生する技術が記載されている。
【特許文献１】特開平１１−１９１８０３号公報（第２〜４ページ、図５参照）。
【発明の開示】
【発明が解決しようとする課題】
【０００６】
このようなアラーム機能は、携帯電話をめざまし時計代わりに使用できる為、非常に便利であるが、以下のような問題が生じることがある。例えば、ユーザが毎朝８時３０分にアラームをセットしておき、９時から出社する生活のリズムを送っているとする。しかし、或る日８時２０分から出社する必要が生じた時に、予め前日に例えば７時３０分にアラームをセットすれば良いが、セットするのを忘れ、更に、当日にはアラームが鳴る前の７時３０分に起きたとする。このような場合、ユーザが携帯電話を会社に持って行き８時２０分に出社し、この時アラーム解除の操作をすればいいが、アラームの解除を忘れた場合に、たまたま８時３０分に会議中であったとすると、会議中に大きなアラーム音が鳴動り、周囲の人に迷惑がかかることになる。
【課題を解決するための手段】
【０００７】
本発明はこのような課題を解決する為のものであり、ユーザがアラームの解除を行なうのを忘れても、何らかの操作（例えば、通信装置を充電器から外す、或いは、着信に応答する）に応じて自動的にアラームの解除を行なうものであり、
請求項１記載の通信装置は、予め定めた時刻にアラームを鳴動するように設定することが可能な通信装置であり、着信を検出する着信検出手段と、該着信検出手段が着信を検出すると前記アラームの鳴動設定を解除又は無効にするように制御する制御手段と、を有することを特徴とする。
請求項２記載の通信装置は、予め定めた時刻にアラームを鳴動するように設定することが可能な通信装置であり、着信を検出する着信検出手段と、現在時刻を計時する計時手段と、該計時手段が所定時刻を計時した後に、前記着信検出手段が着信を検出すると前記アラームの鳴動設定を解除又は無効にするように制御する制御手段と、を有することを特徴とする。
請求項３記載の通信装置は、予め定めた時刻にアラームを鳴動するように設定することが可能な通信装置であり、着信を検出する着信検出手段と、前記予め定められた時刻を経過するまでの所定時間内に前記着信検出手段が着信を検出すると前記アラームの鳴動設定を解除又は無効にするように制御する制御手段と、を有することを特徴とする。
【発明の効果】
【０００８】
本発明では、ユーザが就寝してからアラームの鳴動時刻になるまでに、通信装置を充電器から外すか又は着信に応答するとアラームを解除又は無効にする。この為、仮にユーザがアラームの鳴動時刻前に目が覚め、通信装置を会社に持って行き、アラームの解除操作を忘れてもアラームが鳴ることがなく、周囲の人に迷惑がかからない。
【発明を実施するための最良の形態】
【０００９】
本実施例装置は、通信装置を充電器から外すか又は着信に応答することにより自動的にアラーム機能をオフさせ、設定した時刻となってもアラームを鳴動させないようにするものである。
以下、本実施例装置（例えば、携帯電話装置）について説明する。図１は本実施例装置のブロック図である。
図１において、ＣＤＭＡ通信部１は、後述するベースバンド部３からの信号をアンテナ２を介して基地局へ発信したり、アンテナ２を介して基地局からの電波を受信したりする。
【００１０】
ベースバンド部３は、ＣＤＭＡ（Ｃｏｄｅ  Ｄｉｖｉｓｉｏｎ  Ｍｕｉｔｉｐｌｅ  Ａｃｃｅｓｓ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００１１】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００１２】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００１３】
マイクロプロセッサからなる制御回路１１は、例えばＲＯＭ（Ｒｅａｄ  Ｏｎｌｙ  Ｍｅｍｏｒｙ）からなる第１格納部１２に格納されたシステムプログラムに基づいて、各部を制御する。又、制御回路１１は、時刻を計時する機能も備えている。
【００１４】
第２格納部１３は、例えばＳＲＡＭ（Ｓｔａｔｉｃ  Ｒａｎｄｕｍ  Ａｃｃｅｓｓ  Ｍｅｍｏｒｙ）からなり、相手先の電話番号やメールアドレスのデータや、送受信したメールのデータや、受信した画像データ等の各種データ、アラームを鳴らす時刻やメロディーのデータ、設定時刻にアラームを鳴らすか否かのフラグデータ等を格納する。
【００１５】
表示部１４は例えば液晶表示装置からなり、電話番号や画像データ等を表示する。
【００１６】
入力部１５は、通話キー、切るキー、機能キー、テンキー等からなり、ユーザはこの入力部１５を操作することにより、アラームを鳴らす時刻やメロディー、或いは設定時刻にアラームを鳴らすか否かを設定可能である。
【００１７】
充電検出部１６は、図示せぬ充電器から充電されているか否かを検出する。
【００１８】
バッテリー１７は、通信装置内部の各回路に電力を供給する為のバッテリーである。
【００１９】
計時部１８は、時刻を計時する。
次に本実施例装置の動作について以下に説明する。
【００２０】
図２は、本実施例装置のフロー図である。
【００２１】
図２において、Ｓ１ステップでは、制御回路１１は、入力部１５からアラーム機能をオンする操作があると判定すると、Ｓ２ステップへ処理を進める。具体的には、制御回路１１は、入力部１５からアラーム機能をオンする操作と共にアラームを鳴らす時刻とアラームの種類（例えば、ビープ音やメロディー）の設定操作があると判定すると、これらの操作に応じたデータ（指定した時刻にアラームがなるように設定しているか、即ちアラームがオンであるか否かを示すフラグデータ、時刻データ、アラームの種類データ）を第２格納部に格納し、Ｓ２ステップへ処理を進める。
【００２２】
Ｓ２ステップにおいて、制御回路１１は、充電検出回路１６から、通信装置が非充電状態から充電状態へ変化したことを示す信号を検出するとＳ４ステップへ処理を進め、そうでなければ、Ｓ３ステップへ処理を進める。
【００２３】
Ｓ３ステップにおいて、制御回路１１は、計時部１８が夜の１時を計時したと判定するとＳ７ステップへ処理を進め、そうでなければＳ１ステップへ処理を戻す。
【００２４】
Ｓ４ステップにおいて、制御回路１１は、計時部が夜の１０時〜１時までの時刻を計時していると判定すると、Ｓ６ステップへ処理を進め、そうでなければＳ５ステップへ処理を進める。
【００２５】
Ｓ５ステップにおいて、制御回路１１は、バッテリー１７を充電するよう制御し、充電終了後Ｓ１ステップへ処理を戻す。
【００２６】
Ｓ６ステップにおいて、制御回路１１は、バッテリー１７を充電するように制御し、Ｓ７ステップへ処理を進める。
【００２７】
尚、Ｓ２〜Ｓ４ステップで、夜の１０時〜１時であるか否かで処理するステップを変えたのは、夜１０時〜夜１時の間に充電が開始されるということは、ユーザがこれから寝る可能性が高く、その場合、後述するＳ７ステップ以降で通信装置が充電器から外されたと検出するとアラームをオフする動作に入るためであり、一方、それ以外の時間帯では、ユーザがただ単に充電する為だけの動作である可能性が高く、このような場合充電を開始した後に通信装置を充電器から外す度にアラームをオフする動作を行なえば、一々寝る前にユーザはアラームオンの設定操作を行わなければならず、使い勝手が悪いからである。
【００２８】
又、Ｓ３ステップにおいて、１時であるか否かを判定しているのは、１時という時刻は多くの人が就寝しているであろう時刻だからである。
【００２９】
Ｓ７ステップにおいて、制御回路１１は、充電検出部１６から充電状態から非充電状態へ変化したことを示す信号を検出するとＳ１０ステップへ処理を進め、そうでなければＳ８ステップへ処理を進める。
【００３０】
Ｓ８ステップにおいて、制御回路１１は、ベースバンド部３から着信があることを示す信号を検出するとＳ９ステップへ処理を進め、そうでなければＳ１２ステップへ処理を進める。
【００３１】
Ｓ９ステップにおいて、制御回路１１は、入力部１５から着信に応答する操作があると判定するとＳ１０ステップへ処理を進め、そうでなければＳ１２ステップへ処理を進める。
【００３２】
Ｓ１０ステップにおいて、制御回路１１は、計時部１８が、朝５時から第２格納部１３に格納されているアラームの鳴動時刻までの時刻を計時していると判定すると、Ｓ１１ステップへ処理を進め、そうでなければ、Ｓ７ステップへ処理を戻す。
【００３３】
Ｓ１１ステップにおいて、制御回路１１は、第２格納部１３に格納されているアラームフラグをオフし、Ｓ１ステップへ処理を戻す。
【００３４】
尚、Ｓ１０〜Ｓ１１ステップにおいて、朝５時からアラームの鳴動時刻であればアラームフラグをオフする動作となっているが、このような動作としたのは、例えば、Ｓ２ステップで充電開始した直後に着信があり、ユーザが着信に応答してしまえば、アラームフラグが自動的にオフとなってしまうからである。このような場合、ユーザは再度アラームのオン設定を行なわねばならず、使い勝手が悪いからである。
【００３５】
Ｓ１２ステップにおいて、制御回路１１は、入力部１５からアラームのオフ操作があると判定すると、Ｓ１１ステップへ処理を進め、そうでなければ、Ｓ１３ステップへ処理を進める。
【００３６】
Ｓ１３ステップにおいて、制御回路１１は、計時部１８が、第２格納部１３に設定されている時刻を計時したと判定するとＳ１４ステップへ処理を進め、そうでなければ、Ｓ７ステップへ処理を戻す。
【００３７】
Ｓ１４ステップにおいて、制御回路１１は、スピーカ８からアラームを鳴動させる。
【００３８】
続くＳ１５ステップにおいて、制御回路１１は、入力部１５から、アラームの停止を指示する操作があると判定するとＳ１７ステップへ処理を進め、そうでなければＳ１６ステップへ処理を進める。
【００３９】
Ｓ１６ステップにおいて、制御回路１１は、前記Ｓ１４ステップにおけるアラームの鳴動開始から所定時間の鳴動が続いたと判定するとＳ１７ステップへ処理を進め、そうでなければ、Ｓ１４ステップへ処理を戻す。
【００４０】
Ｓ１７ステップにおいて、制御回路１１は、スピーカ８からのアラームの鳴動を停止させ、Ｓ１ステップへ処理を戻す。
【００４１】
このように、Ｓ７〜Ｓ１７ステップにおいて、ユーザが通信装置を充電器に置いてから（ユーザが寝てから）、ユーザが通信装置を充電器から外すか（会社に通信装置を持っていく時に外すか）、或いは、着信に応答すると、自動的にアラームの設定をオフする為、ユーザがいつもより早く会社に出社して、アラームの解除操作をすることを忘れても、自動的にアラームの設定がオフされる為、いつもアラームが鳴る時間に会議を行なっても、アラームが鳴ることにより周りの人に迷惑がかかるといった事態をできるだけ回避することが可能である。
【００４２】
尚、本実施例では、Ｓ４ステップでは１０時から１時であるか否かを判定し、Ｓ３ステップでは１時であるか否かを判定し、更に、Ｓ１０ステップでは朝５時〜アラームの鳴動時刻であるか否かを判定しているが、これらの時刻はユーザが設定可能としても良い。
【００４３】
又、本実施例では、Ｓ８〜Ｓ１１ステップにおいて、ユーザが着信に応答したらアラームをオフする構成としたが、着信時にユーザが何らかのキー操作を行うとアラームをオフする構成としても良いし、折畳み携帯電話であれば、着信時に筐体を開くとアラームをオフする構成としても良い。又、着信の検出のみのアラームの設定を解除する構成としても良い。
【００４４】
更に、予め設定した時刻（例えば、夜中の１２時）に自動的に通信装置の電源がオフとなると共に予め設定した時刻（例えば、朝の７時）に自動的に通信装置の電源がオンとなる機能を有した通信装置においては、Ｓ１０ステップにおいて、自動的に電源オンの時刻からアラームの鳴動時刻までか否かを判定する構成しても良い。
【図面の簡単な説明】
【００４５】
【図１】本発明を適用してなる実施例装置のブロック図である。
【図２】本実施例装置のフロー図である。
【符号の説明】
【００４６】
１１  制御回路
１３  第２格納部
１５  入力部
１６  充電検出部
１８  計時部
【図１】
2008086031.tif 000003
【図２】
2008086031.tif 000004